【事件の表示】
　特許第３２３８９０５号「防災監視制御盤」の請求項１ないし３に係る特許に対する特許異議の申立てについて、次のとおり決定する。
【結　論】
　訂正を認める。
　特許第３２３８９０５号の請求項１〜３に係る特許を取り消す。
【理　由】
１．手続の経緯
　特許第３２３８９０５号の請求項１〜３に係る発明についての出願は、平成７年１０月６日に出願した特願平７−２５９６００号の一部を平成１１年２月２６日に新たな特許出願としたものであって、平成１３年１０月５日にその発明について特許権の設定登録がなされ、その後、佐竹シヅイにより特許異議の申立てがなされ、取消しの理由が通知され、その指定期間内である平成１５年６月１０日に訂正請求がなされたものである。
　
２．訂正の適否
（１）訂正の内容
　特許権者が求めている訂正の内容は、以下の通りである。
（イ）訂正事項ａ
　特許請求の範囲の請求項１に「盤前面の窪みに形成された部位に操作表示パネルを設けた防災監視制御盤に於いて、
　前記操作表示パネルの操作表示部位の一部を覆う位置に、上下に回動させて開閉自在な子扉を設け、前記操作表示パネル及び子扉はモールド樹脂部材でなり、
　前記操作表示パネルは前記子扉の装着部位の両側に前方に張り出した子扉取付部を一体に形成し、前記子扉取付部と前記子扉の何れか一方に他方を回動自在で固定する回動手段と子扉の閉時に他方と係止する係止手段を一体に形成すると共に、他方に前記一方に対応して回動自在で固定される回動手段と係止される係止手段を一体に形成したことを特徴とする防災監視装置。」とある記載を、「盤前面
となる金属板の扉の面に対し窪み状に外周壁を有して開孔形成された操作表示窓に対応する部位に盤内側より前記操作表示窓に当接させて配置した平板状の操作表示パネルを有する
　前記操作表示パネルの
前方で
　前記操作表示パネルは前記子扉の装着部位の
子扉左右側面位置に沿って子扉表面高さまで
（ロ）訂正事項ｂ
　明細書の段落【００１２】に「【課題を解決するための手段】
　本発明は、盤前面の窪みに形成された部位に操作表示パネルを設けた防災監視制御盤を対象とし、操作表示パネルの操作表示部位の一部を覆う位置に、上下に回動させて開閉自在な子扉を設け、操作表示パネル及び子扉はモールド樹脂部材でなり、操作表示パネルは前記子扉の装着部位の両側に前方に張り出した子扉取付部を一体に形成し、子扉取付部と前記子扉の何れか一方に他方を回動自在で固定する回動手段と子扉の閉時に他方と係止する係止手段を一体に形成すると共に他方に一方に対応して回動自在で固定される回動手段と係止される係止手段を一体に形成したことを特徴とする。また、本発明の防災監視制御盤は、子扉は、閉じた時に盤前面と子扉前面が実質的に面一になるように装着されたことを特徴とする。」とある記載を、「【課題を解決するための手段】
　本発明は、盤前面
となる金属板の扉の面に対し窪み状に外周壁を有して開孔形成された操作表示窓に対応する部位に盤内側より前記操作表示窓に当接させて配置した平板状の操作表示パネルを有する
前方で
子扉左右側面位置に沿って子扉表面高さまで
（ハ）訂正事項ｃ
　明細書の段落【００４７】に「【発明の効果】
　以上のように、本発明は、盤前面の窪み形成された部位に操作表示パネルを設けた防災監視制御盤を対象とし、操作表示パネルの操作表示部位の一部を覆う位置に、上下に開閉自在な子扉を設け、操作表示パネル及び子扉はモールド樹脂部材でなり、操作表示パネルは子扉の装着部位の両側に子扉取付部を前方に張出し形成し、子扉取付部と前記子扉のいずれか一方に回動手段と係止手段を一体に形成すると共に他方に対応した回動手段と係止手段を一体に形成したため、子扉を操作表示パネルに取り付けるための部品が必要でなく、部品点数を減少することができる。」とある記載を、「【発明の効果】
　以上のように、本発明は、盤前面
となる金属板の扉の面に対し窪み状に外周壁を有して開孔形成された操作表示窓に対応する部位に盤内側より前記操作表示窓に当接させて配置した平板状の操作表示パネルを有する
前方で
子扉左右側面位置に沿って子扉表面高さまで
　
（２）当審の判断
（あ）上記訂正事項ａのうち、「盤前面の窪みに形成された部位に操作表示パネルを設けた防災監視制御盤に於いて、」とある記載を、「盤前面
となる金属板の扉の面に対し窪み状に外周壁を有して開孔形成された操作表示窓に対応する部位に盤内側より前記操作表示窓に当接させて配置した平板状の操作表示パネルを有する
「盤前面」を「金属板の扉の面」とするとともに、「窪みに形成された部位」の構成について「窪み状に外周壁を有して開孔形成された操作表示窓」との限定を付し、「操作表示パネル」についても「操作表示窓に対応する部位に盤内側より前記操作表示窓に当接させて配置した平板状の操作表示パネル」との限定を付するものである。
　上記訂正事項について、願書に添付した明細書又は図面（以下、「特許明細書」という。）には、段落【００１６】に「操作表示パネル３２は盤前面となる扉２３の面に対し窪み形成された部位に設けられ」ること、段落【００２５】に「扉２３のパネル表示窓５１の外周には、窪み形成された操作表示パネル３２の前面まで伸びた外周壁が設けられ、外周壁と操作表示パネル３２の前面が当接する」こと、段落【００２９】に「扉２３は金属板よりなり、扉２３を閉じたときに操作表示パネル３２が表われるパネル表示窓５１を有」すことが記載され、図５には平板状の操作表示パネル３２が示され、図８には扉２３がパネル表示窓５１で内側に向かう外周壁を有し、その外周壁の内側端部は操作表示パネル３２に当接することが示されているのであるから、上記訂正事項は、特許明細書に記載されていた事項である。
（い）上記訂正事項ａのうち、「前記操作表示パネルの操作表示部位の一部を覆う位置に、上下に回動させて開閉自在な子扉を設け、前記操作表示パネル及び子扉はモールド樹脂部材でなり、
　前記操作表示パネルは前記子扉の装着部位の両側に前方に張り出した子扉取付部を一体に形成し、」とある記載を、「前記操作表示パネルの
前方で
　前記操作表示パネルは前記子扉の装着部位の
子扉左右側面位置に沿って子扉表面高さまで
「子扉」の位置について「操作表示パネルの前方で」とするとともに、「子扉取付部」について「子扉の装着部位の両側に」としていたものを「子扉の装着部位の子扉左右側面位置に沿って子扉表面高さまで」とする限定を付すものである。
　上記訂正事項について、特許明細書には、段落【００２０】に「取付部４８の前面も盤前面と子扉前面と実質的に面一となるように設けられている。また、子扉４９が閉じたときは、子扉４９の上面７３と取付部４８の上面が実質的には面一となっている。」こと、段落【００３３】に「操作表示パネル３２の下側両端には一対の取付部４８がモールド樹脂により一体に張出して成形されている。」ことが記載され、図１及び図５には子扉４９が操作表示パネル３２の下方で前方に設けられること及びその子扉の左右側面に沿って取付部４８が設けられることが示されているのであるから、上記訂正事項は、特許明細書に記載されていた事項である。
（う）上記（あ）、（い）で検討するように、訂正事項ａは、特許請求の範囲の減縮を目的とした明細書の訂正に該当し、新規事項を追加するものではない。
（え）上記訂正事項ｂ及び訂正事項ｃは上記訂正事項ａと整合を図るものであるから明りょうでない記載の釈明を目的とした明細書の訂正に該当し、新規事項を追加するものではない。
（お）そして、上記訂正事項ａ〜ｃは、いずれも実質上特許請求の範囲を拡張し、又は変更するものではない。
　
（３）むすび
　以上のとおりであるから、上記訂正は特許法第１２０条の４第２項及び同条第３項で準用する第１２６条第２項及び第３項の規定に適合するので、当該訂正を認める。
　
３．特許異議の申立てについての判断
（１）本件発明
　上記２．で示したように上記訂正が認められるから、本件の請求項１〜３に係る発明（以下、「本件発明１〜３」という。）は、上記訂正に係る訂正明細書の特許請求の範囲の請求項１〜３に記載された事項により特定されるとおりのものと認める。
　本件発明１　上記２．（１）（イ）に記載のとおり
　本件発明２　「請求項１記載の防災監視制御盤に於いて、前記子扉は、閉じた時に盤前面と子扉前面が実質的に面一となるように装着されたことを特徴とする防災監視制御盤。」
　本件発明３　「請求項１記載の防災監視制御盤に於いて、前記子扉が開いたときに前記操作表示パネルの下面に当接するストッパ部材を前記子扉に一体に成形したことを特徴とする防災監視制御盤。」
　
（２）引用刊行物
（イ）当審で通知した取消しの理由で引用した実願昭６１−９８５１号（実開昭６２−１２１６９３号）のマイクロフイルム（特許異議申立人の提出した甲第１号証。以下、「刊行物１」という。）には、以下のような事項が記載されている。
（あ）「本考案は火災受信機の操作部における誤操作防止用覆板の取付構造に関するものである。」（明細書第１頁第１７〜１８行）こと。
（い）「本体ボックス１の前面扉２に開口部３を設けて内部の操作板４を露出させ、操作板４上の計器類５やスイッチ類６のうち、重要なスイッチ７・・・等を覆う覆板９を、開口部３の下辺に枢着している。」（明細書第２頁第１〜５行）こと。
（う）「目的とするところは、覆板取付工程におけるＥリングの嵌着や開口部周壁への軸ピン挿通孔の穿孔のような面倒な作業の必要がなく、組立工程を簡略化できる火災受信機の操作部の構造を提供するにある。」（明細書第３頁第２〜６行）こと。
（え）「本体ボックス１の前面扉２に設けた開口部３に内部の操作板４を露出させ、操作板４の一部を覆う誤操作防止用の覆板９を、開口部３の下辺に枢着している。この枢着部の構造は、覆板９の両側辺の下端部より裏側へ立設した折曲片１６と、各折曲片１６に対向するように操作板４に立設した切り起こし片１７とに軸ピン挿通孔１４を設け、これらの軸ピン挿通孔１４に貫挿した頭付き軸ピン１０の頭部を、開口部３の周縁に折曲形成された周壁１２に当接させ・・・たものである。なお覆板９は鉄板で構成されており、覆板９が閉じられた時には、・・・マグネット１８によって閉状態に保持されるようになっている。」（明細書第４頁第３〜１７行）こと。
（お）第１〜３図において、前面扉２は火災受信機の前面であって、覆板９が操作板４の前方でその一部である重要なスイッチ７等を覆い、かつ、覆う時に前面扉２の前面と覆板９の前面がほぼ面一又は面一〔特に第２図（ｂ）〕となっていること。
（か）第２図において、周壁１２は火災受信機の内側に向かって曲折形成されるものであって、操作板４は火災受信機の内側より開口部３の周縁に折曲形成された周壁１２に当接され、切り起こし片１７は、覆板９の下方において左右側面位置に沿って形成され、覆板９のほぼ表面高さまで張り出していること。
（き）第２及び３図において、軸ピン１０が水平に設けられ覆板９は上下に回動すること。
（く）第３図において、操作板４は平板で形成され、折曲片１６及び切り起こし片１７は覆板９の左右の下部及びこれに対応する位置に設けられ、マグネット１８はその上方である覆板９の上部の左右に対応する位置に設けられること。
　以上（あ）〜（く）の事項を総合すると、刊行物１には、以下の発明（以下、「引用発明１」という。）が記載されていると認められる。
「火災受信機の前面となる前面扉２に開口部３を設け、その開口部３の周縁に火災受信機の内側に向かって曲折形成される周壁１２を有し、平板で形成される操作板４は火災受信機の内側より周壁１２に当接され、
操作板４の前方で操作板４の一部である重要なスイッチ７等を覆い、上下に回動して開閉する鉄板で構成された覆板９を設け、
覆板９は、閉じられた時、前面扉２とほぼ面一となり、
操作板４は覆板９の装着部位の、覆板９の下方において左右側面位置に沿って、覆板９ののほぼ表面高さまで前方に張り出した切り起こし片１７を立設し、
切り起こし片１７と覆板９の両側辺の折曲片１６とに軸ピン挿通孔１４を設けて軸ピン１０を貫挿し、切り起こし片１７の上方である覆板９の上部の左右に対応する位置に覆板９を閉状態に保持するマグネット１８を設けた火災受信機。」
　
（ロ）同じく引用した実願昭６０−１４６９７５号（実開昭６２−５５０８６号）のマイクロフイルム（特許異議申立人の提出した甲第２号証。以下、「刊行物２」という。）には、以下のような事項が記載されている。
（あ）「集中温度制御入力手段をドアの前面に形成した冷蔵庫用制御装置に関する。」（明細書第２頁第２〜３行）こと。
（い）「２６は冷凍室扉２の前面に取付けた取付け板アッセンブリＢの前面にかぶせる化粧板であり、その正面から見て右側には、・・・操作桿１１ａ、１１ａ’が挿通する開口２７、２７’を有する温度選定入力操作部収納部２８が凹状に形成されている。一方、左側には・・・押釦２４と・・・押釦２４’とを収納するための冷却速度切換入力操作部収納部としての開口２９が設けられている。・・・３１は化粧板２６に形成された入力操作部収納凹部２８の前面を開閉自在に遮蔽する蓋であり、前記収納凹部２８の側壁の下部に設けられた軸受穴３２に嵌合する軸３３と、同じく前記収納凹部２８の側壁の上部に設けた係合突起部３４（第６図参照）に弾性変形して係合し蓋を閉じるための係止爪３４と、前記係合突起部３４ａとの対向位置に設けた係合穴３５ａに係止する爪３５と・・・が形成されている。」（明細書第８頁第３行〜第９頁第２行）こと。
（う）「遮蔽蓋３１を軸３３を支点として回動させることにより閉じると、入力操作桿収納凹部２８内に納まり蓋３１と化粧板２６との面が面一になるように構成されている。」（明細書第９頁第５〜８行）こと。
（え）第３図には、蓋３１が上下に回動すること。
（お）第３及び６図には、入力操作部収納凹部２８の側壁は、蓋３１を閉じた時の左右側面の位置に沿って形成され、蓋３２の左右側面の下部に軸３３、上部に係止爪３４及び爪３５を設け、蓋３２の左右側面に沿う収納凹部２８の左右の側壁の下部に軸受穴３２、上部に係合突起部３４ａ及び係合穴３５ａが形成されていること。
　以上（あ）〜（お）の事項を総合すると、刊行物２には、以下の発明（以下、「引用発明２」という。）が記載されていると認められる。
「冷凍室扉２の前面に取付けた化粧板２６の前方で操作桿１１ａ、１１ａ’が設けられる温度選定入力操作部収納部２８の前面を上下に回動させて開閉自在に遮蔽する蓋３１を設け、
　化粧板２６は蓋３１を閉じた時の左右側面の位置に沿ってその上辺が蓋３１と同じ高さとなる入力操作部収納凹部２８の側壁を有し、側壁に蓋３１を回動させるように設ける軸受穴３２と蓋３１を閉じる時に蓋３１の係止爪３４及び爪３５と係止する係合突起部３４ａ及び係合穴３５ａを形成すると共に、蓋３１に側壁の軸受穴３２に対応して回動させるように設ける軸３３と係合突起部３４ａ及び係合穴３５ａに係止される係止爪３４及び爪３５を形成した、集中温度制御入力手段をドアの前面に形成した冷蔵庫用制御装置。」
　
（ハ）同じく引用した実願平１−６５２４２号（実開平３−６８７３号）のマイクロフイルム（特許異議申立人の提出した甲第３号証。以下、「刊行物３」という。）には、以下のような事項が記載されている。
（あ）「本考案は、ＴＶその他の電気機器等の操作部前面を開閉可能に覆う扉装置に関する。」（明細書第１頁第１４〜１５行）こと。
（い）「第３図に示すように扉２’の両側の内向き取付片２ａに枢軸５を突設し、機器の本体１の操作部１ａの両側面に取付片２ａを重ねて該枢軸５により枢着して扉２１を下向回動可能に取付けて操作部１ａを覆うようにしてなる。」（明細書第１頁第１８行〜第２頁第３行）こと。
（う）第３及び４図には、扉２’の下片に沿って突条を設け、扉２’全開時には突条が機器本体１の操作部１ａの下面に当接すること。
　以上（あ）〜（う）の事項を総合すると、刊行物３には、以下の発明（以下、「引用発明３」という。）が記載されていると認められる。
「電気機器等の操作部前面を開閉可能に覆う扉装置において、扉２’全開時には機器本体１の操作部１ａの下面に当接する突条を扉２’に設けた扉装置。」
　
（３）対比・判断
（イ）本件発明１について
　本件発明１と引用発明１とを対比すると、その機能と構造からみて、後者の「火災受信機」は前者の「防災監視装置」及び「盤」に、以下、同様に、「前面扉２」は「扉」に、「開口部３」は「開孔形成された操作表示窓」に、「その開口部３の周縁に火災受信機の内側に向かって曲折形成される周壁１２を有し」は「扉の面に対し窪み状に外周壁を有して」に、「平板で形成される操作板４」は「平板状の操作表示パネル」に、「火災受信機の内側より周壁１２に当接され」は「盤内側より操作表示窓に当接させて配置した」に、「覆板９」は「子扉」に、「切り起こし片１７」は「子扉取付部」に、「軸ピン挿通孔１４」は「回動手段」に、「マグネット１８」は「係止手段」にそれぞれ相当している。
そして、後者の「切り起こし片１７」は「操作板４」を切り起こしたものであり、また、「覆板９の両側辺の折曲片１６」とは「折曲片１６」が「覆板９の両側辺」であるというのであるから、これらはそれぞれ一体に形成されたものであり、
さらに後者の「その開口部３の周縁に・・・曲折形成される周壁１２を有し、・・・操作板４は・・・周壁１２に当接され、」とは、開口部３に対応する部位で配置されていることであり、後者の「操作板４の一部である重要なスイッチ７等」とは操作板４の操作表示部位の一部に設置されているものであると認められる。
　したがって、両者は、
「盤前面となる扉の面に対し窪み状に外周壁を有して開孔形成された操作表示窓に対応する部位に盤内側より前記操作表示窓に当接させて配置した平板状の操作表示パネルを有する防災監視制御盤に於いて、
　前記操作表示パネルの前方で操作表示部位の一部を覆う位置に、上下に回動させて開閉自在な子扉を設け、
　前記操作表示パネルは前記子扉の装着部位の子扉左右側面位置に前方に張り出した子扉取付部を一体に形成し、前記子扉取付部（一方）に前記子扉（他方）を回動自在で固定する回動手段を一体に形成すると共に、他方に前記一方に対応して回動自在で固定される回動手段を一体に形成したことを特徴とする防災監視装置。」
の点で一致し、
（あ）盤前面となる扉について、前者が金属板であるのに対して、後者は材質について不明である点、
（い）操作表示パネル及び子扉について、前者がいずれもモールド樹脂部材であるのに対して、後者の操作表示パネルの材質は明確でなく、子扉は鉄である点、
（う）子扉取付部について、前者は子扉表面高さまで前方に張り出しているのに対して、後者は子扉のほぼ表面高さまで前方に張り出している点、及び、
（え）前者は子扉左右側面位置に沿って子扉取付部を形成し、子扉の閉時に他方と係止する係止手段を一体に形成すると共に、他方に前記一方に対応して係止される係止手段を一体に形成したのに対して、後者の切り起こし片１７（子扉取付部）は子扉の下方においてのみ左右側面位置に沿っているであって、マグネット１８（係止手段）は操作表示パネルに設けられている点、
で両者は相違するものと認める。
　
　そこで上記相違点について検討する。
（あ）の点について、防災監視制御盤の外側板や前面扉を金属板で構成することは、防災監視制御盤のみならず、一般的な制御盤において周知の構造にすぎない。そして上記周知の構造を引用発明１に適用することは、当業者が困難性を要することなくなし得ることと認められる。
（い）の点について、操作表示板やそこに取付けられる扉をモールド樹脂部材で形成することは、一般的な電気機器において周知である（特にテレビ、ビデオ等において良く知られている。）。そして、当該構成を防災監視制御盤の操作表示パネル及び子扉に適用することは、防災監視制御盤が金属以外に樹脂で構成されるものも良く知られるところであり（特に家庭用等）、刊行物２の冷蔵庫用制御装置においても蓋３１に設けた軸３３を軸受穴３２に嵌合させると共に係止爪３４は係合突起部３４に弾性変形して係合〔（２）（ロ）（い）〕するものであるように樹脂製であることを伺わせるものであることから、当業者にとって格別の困難性を要するものとは認められない。
　そして、弾性変形により子扉が歪んで外れ、破損することがないという効果についても、そもそも樹脂成型品が弾性変形可能であり、この機能を用い歪ませて固定、係止することが普通に行われるように、当業者が予測しうることにすぎないと認められる。（なお、本件発明１においては、そのための格別の構成をとるものでもない。）
（う）の点について、「ほぼ表面高さ」と「表面高さ」は、その技術意義を考えれば、表現上の差異であって実質的な差異があるとは言えない。
（え）の点について、上下に回動、係止する子扉の具体的取付の構成として、引用発明２は、化粧板２６（操作表示パネル）に蓋３１（子扉）の装着部位の蓋３１（子扉）の左右側面の位置に沿ってその上辺が蓋３１と同じ高さとなる入力操作部収納凹部２８の側壁（子扉取付部）を有し、側壁に蓋３１を回動させるように設ける軸受穴３２（回動手段）と蓋３１を閉じる時に蓋３１の係止爪３４及び爪３５と係止する係合突起部３４ａ及び係合穴３５ａ（係止手段）を形成すると共に、蓋３１に側壁の軸受穴３２に対応して回動させるように設ける軸３３（回動手段）と係合突起部３４ａ及び係合穴３５ａに係止される係止爪３４及び爪３５（係止手段）を形成するものであって、上記の軸受穴３２（回動手段）と係合突起部３４ａ及び係合穴３５ａ（係止手段）は側壁（子扉取付部）に、軸３３（回動手段）と係止爪３４及び爪３５（係止手段）は蓋３１（子扉）に一体に形成されていると言えるものであり、さらに引用発明１の火災受信機は制御表示盤の一種であって、引用発明２は冷蔵庫であるものの、その冷凍扉２の前面に設けられた、操作桿や押釦の操作部を有する制御盤と言える制御装置であるから、引用発明２を適用して本件発明１の構成とすることは、当業者が容易になし得ることである。
　そして、一体に形成したものである以上、部品点数や組立工数の減少は当業者が普通に認識し得る程度のことであって、このことによる格別の効果も認められない。
　
　そして、これら（あ）〜（え）の点を合わせ考えても、その作用効果が格別であるとは言えず、本件発明１は当業者が引用発明１及び２並びに周知の事項に基いて容易になし得ることと認められる。
　
　したがって、本件発明１は、その出願前日本国内において頒布された刊行物１及び２に記載された発明並びに周知の事項に基いて、その出願前にその発明の属する技術の分野における通常の知識を有する者が容易に発明をすることができたものであるから、特許法第２９条第２項の規定により特許を受けることができない。
　
（ロ）本件発明２について
　本件発明２は、本件発明１に、更に（お）「前記子扉は、閉じた時に盤前面と子扉前面が実質的に面一となるように装着されたこと」という要件を付加するものである。
　しかしながら、引用発明１の覆板９（子扉）は、閉じられた時、前面扉２とほぼ面一となるものであるから、実質的に面一となるように装着するものであって、この（お）の点において、本件発明２と引用発明１とに実質的に差異はない。
　そして、相違点（あ）〜（え）については上記（イ）で述べたとおりであるから、本件発明２は当業者が引用発明１及び２並びに周知の事項に基いて容易になし得ることと認められる。
　
　したがって、本件発明２は、その出願前日本国内において頒布された刊行物１及び２に記載された発明並びに周知の事項に基いて、その出願前にその発明の属する技術の分野における通常の知識を有する者が容易に発明をすることができたものであるから、特許法第２９条第２項の規定により特許を受けることができない。
　
（ハ）本件発明３について
　本件発明３は、本件発明１に更に（か）「前記子扉が開いたときに前記操作表示パネルの下面に当接するストッパ部材を前記子扉に一体に成形したこと」という要件を付加するものである。
　したがって、本件発明３と引用発明１とを対比すると、相違点は、（イ）に於ける（あ）〜（え）の点に加えて、上記（か）の点であると認められる。
　しかしながら、引用発明３は、電気機器等の操作部前面を開閉可能に覆う扉装置において、扉２’（子扉）全開時には機器本体１の操作部１ａの下面（操作表示パネルの下面）に当接する突条を扉２’に設けた扉装置であって、つまり、その突条は全開時に扉２’の回動を停止するものでストッパといいうるものと認められるから、引用発明３を引用発明１に適用することは、当業者にとって容易になし得ることと認められる。
　そして、相違点（あ）〜（え）については上記（イ）で述べたとおりであり、これら（あ）〜（え）及び（か）の点を合わせ考えても、その作用効果が格別であるとも言えないから、本件発明３は当業者が引用発明１〜３並びに周知の事項に基いて容易になし得ることと認められる。
　
　したがって、本件発明３に係る発明は、その出願前日本国内において頒布された刊行物１〜３に記載された発明並びに周知の事項に基いて、その出願前にその発明の属する技術の分野における通常の知識を有する者が容易に発明をすることができたものであるから、特許法第２９条第２項の規定により特許を受けることができない。
　
（４）むすび
　以上のとおりであるから、本件発明１〜３についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年８月２９日（２００３．８．２９）
【訂正の要旨】
審決（決定）の【理由】欄参照。
（５４）【発明の名称】
防災監視制御盤
（５７）【特許請求の範囲】
　【請求項１】
　盤前面
となる金属板の扉の面に対し窪み状に外周壁を有して開孔形成された操作表示窓に対応する部位に盤内側より前記操作表示窓に当接させて配置した平板状の操作表示パネルを有する
　前記操作表示パネルの
前方で
　前記操作表示パネルは前記子扉の装着部位の
子扉左右側面位置に沿って子扉表面高さまで
　【請求項２】
　請求項１記載の防災監視制御盤に於いて、前記子扉は、閉じた時に盤前面と子扉前面が実質的に面一となるように装着されたことを特徴とする防災監視制御盤。
　【請求項３】
　請求項１記載の防災監視制御盤に於いて、前記子扉が開いたときに前記操作表示パネルの下面に当接するストッパ部材を前記子扉に一体に成形したことを特徴とする防災監視制御盤。
【発明の詳細な説明】
　【０００１】
　【発明の属する技術分野】
　本発明は、防災監視制御盤に関し、特に操作表示パネルに設けた各メンテナンススイッチを覆う子扉を開閉自在に取り付けた防災監視制御盤に関する。
　【０００２】
　【従来の技術】
　従来の防災監視制御盤としては、例えば図９に示すようなものが知られている（実開平５−４０９９４号、参照）。
　【０００３】
　図９において、１は金属板からなる箱状の筐体、２は筐体１に開閉可能に取り付けられた金属板からなる扉で、中央部よりやや上方に窓孔が設けられている。そして扉２の窓孔には操作板３、表示板４および増設用表示板５等の操作表示パネルが所定の位置に配設され、表示板４および操作板３の背面にはプリント基板６，７がねじで固定される。また、筐体１の背板にはプリント基板８が固定され、プリント基板８には端子台９が搭載されている。１０はプリント基板８の保護板である。また、筐体１の背板にはトランス１１が取り付けられ、筐体１内には予備電源１２が収納されている。
　【０００４】
　なお、操作部３には各種設定用スイッチと、保守点検時に使用されるメンテナンス用スイッチ表示部を備え、メンテナンス用スイッチ表示部の箇所には通常監視時に誤って操作されないためにスイッチ等を覆う開閉自在な子扉が取り付けられている。
　【０００５】
　図１０は操作板３に対する子扉の取り付けの説明図であり、操作板３を正面から見た図である。
　【０００６】
　図１０において、操作板３には凹字状に形成された取付部材１３とＬ字状に形成された取付部材１４が取付孔４Ａ，４Ｂ，４Ｃにそれぞれ挿入され、溶接により固定されている。取付部１３，１４にはねじ１５Ａ，１５Ｂが挿入されるねじ孔１３Ａ，１４Ａがそれぞれ形成されている。
　【０００７】
　取付部１３の突出片１３Ｂはストッパ部材としての機能を有し、子扉１６を開けたとき突出片１３Ｂの下面に子扉１６の下板１６Ａが当接し、子扉１６が下に垂れ下がらないようにしている。取付部１３，１４に対して子扉１６にはＬ字状に形成された取付部１６Ｂ，１６Ｃがそれぞれ溶接により固定されている。
　【０００８】
　取付部１６Ｂ，１６Ｃにはねじ孔１６Ｄ，１６Ｅがそれぞれ形成され、操作板３の取付部１３，１４のねじ孔１３Ａ，１４Ａ、ねじ孔１６Ｄ，１６Ｅはねじ１５Ａ，１５Ｂをねじ込むことで、操作板３に対して子扉１６が開閉自在に装着される。
　また、表示板４の上側中央には子扉１６を閉じるときに係止される係止部１７が設けられ、一方、係止部１７に係止される突起部１８が子扉１６の裏面の上部中央に設けられている。
　【０００９】
　【発明が解決しようとする課題】
　しかしながら、このような従来の防災監視制御盤にあっては、パネルに子扉を取り付けるための部品として２本のねじ、２つの取付部が必要であり、対応して子扉に２つの取付部を必要とし、また、子扉を閉めるときパネルに固定される係止部、子扉は固定される突起部が必要となり、部品点数が多くなる。また、子扉には２つの取付部が溶接されるため、製造工数が多くなり、組立ても手間がかかっていた。
　【００１０】
　本発明は、このような従来の問題点に鑑みてなされたものであって、部品点数を減少し製造工数も減少し容易に組立てができる防災監視制御盤を提供することを目的とする。
　【００１１】
　【課題を解決するための手段】
　この目的を達成するために、本発明は、次のように構成する。
　【００１２】
　【課題を解決するための手段】
　本発明は、盤前面
となる金属板の扉の面に対し窪み状に外周壁を有して開孔形成された操作表示窓に対応する部位に盤内側より前記操作表示窓に当接させて配置した平板状の操作表示パネルを有する
前方で
子扉左右側面位置に沿って子扉表面高さまで
　【００１３】
　更に、本発明の防災監視制御盤は、子扉が開いたときに操作表示パネルの下面に当接するストッパ部材を子扉に一体に成形したことを特徴とする。
　【００１４】
　このため子扉を操作表示パネルに取り付けるための部品が必要でなく、部品点数を減少させ、製造工数を減少させ、さらに、組立て、取り外しも容易になる。また、子扉を弾性のあるモールド樹脂部材で成形し操作表示パネルの取付部に装着したので、子扉に強い加重が加わっても子扉が歪んで外れ、従来例のように子扉に加重が加わると取付部が変形して破損することがない。更に、通常の監視状態で閉じている子扉は、盤前面と一体化して操作表示部位の操作や表示の妨げとならず、見栄えも良い。
　【００１５】
　【発明の実施の形態】
　図１，図２は、本発明の防災監視制御盤を組立てた完成斜視図を示し、図１は子扉４９を開いた状態を示し、図２は子扉４９を閉じた状態を示す。
　【００１６】
　図１に示すように、操作表示パネル３２は盤前面となる扉２３の面に対し窪み形成された部位に設けられており、操作表示パネル３２に一体に形成した取付部４８の軸孔７１に子扉４９の軸部７６を挿入することにより、子扉４９は操作表示パネル３２に対して開閉自在に、また着脱自在に取り付けられる。このため操作表示パネル３２に対する子扉４９の組立て、取り外しが容易である。
　【００１７】
　子扉４９の下板８１は操作表示パネル３２の下面に当接し、ストッパ部材としての機能を持つので、図示のように、子扉４９は操作表示パネル３２に対して略垂直に保持される。
　【００１８】
　このような子扉４９の開状態で子扉４９に上方向から強い加重が加わった場合には、子扉４９は弾性のあるモールド樹脂部材で形成されているため歪み、軸部７６は取付部４８の軸孔７１から外れ、結果子扉４９は取付部４８から外れる。
　【００１９】
　子扉４９を閉じるときは、子扉４９を操作表示パネル３２側に回動すると、子扉４９の係止突起７４が取付部４９の係止孔７０に係止され、図２に示すように子扉４９が閉じる。子扉４９は閉じた時に盤前面と子扉前面が実質的に面一となるように装着されている。
　【００２０】
　取付部４８の前面も盤前面と子扉前面と実質的に面一となるように設けられている。また、子扉４９が閉じたときは、子扉４９の上面７３と取付部４８の上面が実質的には面一となっている。
　【００２１】
　図３は本発明の防災監視制御盤の分解斜視図である。
　【００２２】
　図３において、２１は背板、２２は本体フレーム、２３は扉であり、防災監視制御盤２４はこれらの背板２１、本体フレーム２２からなる筐体および扉２３により構成される。
　【００２３】
　背板２１は金属板よりなり、本体フレーム２２に形成された背板接合部２５にねじ止め固定される。背板２１には端子台２６などが搭載された回路基板２７，２８，２９、トランス３０、回路基板３１を裏面に装着した操作表示パネル３２等が固定される。背板２１には複数個の支持台３３が設けられ、支持台３３は回路基板２７，２８，２９を支持する。３６は背板２１に設けられた固定金具であり、固定金具３６により操作表示パネル３２の一端部が背板２１に固定される。
　【００２４】
　また、背板２１の上部中央には長孔３７が形成され、長孔３７から信号線が引き出されて回路基板２７，２８，２９等に接続される。また、長孔３７の左右両側の背板２１には壁面に防災監視制御盤２４を取り付けるための取付孔３８が形成されている。
　【００２５】
　扉２３のパネル表示窓５１の外周には、窪み形成された操作表示パネル３２の前面まで伸びた外周壁が設けられ、外周壁と操作表示パネル３２の前面が当接する。
　【００２６】
　図４に示すように、操作表示パネル３２の上部には火災代表灯用などの表示窓３９が形成され、表示窓３９の下側には火災などが発生した地区を表示する地区表示窓４０が形成されている。
　【００２７】
　地区表示窓４０の左下側には音響孔４２が形成され、音響孔４２の右側には各種の設定状況や監視状況を表示する表示灯４３や各種設定スイッチ４５などが設けられている。操作表示パネル３２の下部にはメンテナンス用の各種スイッチ４６が設けられ、各メンテナンス用スイッチ４６の上側にはスイッチ操作を表示する表示灯４７が設けられている。
　【００２８】
　これらのスイッチ４６および各表示灯４７が設けられた操作表示パネル３２の下側部分には取付部４８を介して子扉４９が開閉自在に設けられる。操作表示パネル３２には背板２１に取り付けられる取付部５０が一体に形成されており、取付部５０により操作表示パネル３２が背板２１に固定される。
　【００２９】
　扉２３は金属板よりなり、扉２３を閉じたときに操作表示パネル３２が表われるパネル表示窓５１を有し、また、扉閉止部５２が挿入される挿入孔５３を有する。また、扉２３の上面端部には本体フレーム２２に扉２３を固定するためのリベット５４が挿入される固定用の孔５５が形成されている。
　【００３０】
　本体フレーム２２は金属板よりなる上壁５６、下壁５７および側壁５８，５９により構成され、上壁５６、下壁５７および側壁５８，５９には背板２１と接合される背板接合部２５が形成されている。
　【００３１】
　上壁５６および下壁５７には前面に一部分が突出する扉固定用ステー６１が固定され、扉固定用ステー６１の突出部６１Ａにはリベット５４が挿入される固定用の孔６２がそれぞれ形成され、固定用の孔６２，５５にリベット５４を挿入することで、本体フレーム２２に扉２３が取り付けられる。また、扉固定用ステー６１と扉２３の間には扉の回動を容易にするためのスペーサ６３が挿入される。
　【００３２】
　次に、図５は操作表示パネル３２および子扉４９を取り出して示した図である。
　【００３３】
　図５において、操作表示パネル３２の下側両端には一対の取付部４８がモールド樹脂により一体に張出して成形されている。取付部４８の上端には角孔よりなる係止手段としての係止孔７０がそれぞれ形成され、下端には丸孔よりなる回動手段としての軸孔７１がそれぞれ形成されている。操作表示パネル３２の取付部４８には係止孔７０、軸孔７１で子扉４９が開閉自在にかつ着脱自在に取り付けられる。
　【００３４】
　操作表示パネル３２の下側に設けられたメンテナンス用の各種スイッチ４６および各種スイッチの操作を表示する表示灯４７は子扉４９の開状態で表われ、子扉４９の閉状態でかくれるようになっている。子扉４９は弾性のあるモールド樹脂部材で成形されいる。子扉４９には子扉４９を開けるための溝を形成した上板７３と長手方向の両端部には取付部４８の係止孔７０に係止される係止手段としての係止突起７４を有する係止片７５と取付部４８の軸孔７１に回転自在に挿入される回動手段としての軸部７６を有する軸支持部７７などが一体に成形されている。
　【００３５】
　子扉４９の操作表示パネル３２の取付部４８への取付けは、子扉４９を少したわませた状態にして、軸部７６を取付部４８の軸孔７１に挿入することで行う。更に、挿入後子扉４９を上方向に回動して係止突起７４を係止孔７０に係止させることで子扉４９は閉じられる。
　【００３６】
　次に、図６（Ａ）は子扉４９の裏面図、図６（Ｂ）は子扉４９の側面図である。
　【００３７】
　図６（Ａ），（Ｂ）において、扉本体７２の両端には切欠き７８がそれぞれ形成され、切欠き７８は子扉４９を閉じたとき操作表示パネル３２の取付部４８の下面と当接する。切欠き７８に連続して扉２３のパネル表示窓の角の曲面にあわせたアール部７９が形成される。そして切欠き７８近傍には子扉４９を回動自在にする外側に突起する軸部７６を備えた軸支持部７７が一体に成形される。軸支持部７７の反対側には長方形状の係止片７５が立設され、係止片７５には軸方向外側に突出する係止突起７４が一体に成形される。
　【００３８】
　子扉４９の上側には一端部から他端部に亘って上板７３が一体に成形され、上板７３の途中には複数の溝８０が形成されている。また、子扉４９の下側には開状態で所定の高さに子扉４９を固定するためのストッパ部材としての下板８１が形成されている。
　【００３９】
　次に、図７は操作表示パネル３２に子扉４３を取り付けて開いた状態を示す図である。
　【００４０】
　図７において、操作表示パネル３２に一体に成形された取付部４８の軸孔７１には子扉４９の軸部７６が回転自在に挿入される。こうして子扉４９は操作表示パネル３２に開閉自在にかつ着脱自在に取り付けられる。取付部４８の軸孔７１は操作表示パネルの下板８１の高さ位置よりも低くしており、子扉４９が開いた状態においては、子扉４９の下板８１の端面が操作表示パネル３２の下面に当接しており、下板８１はストッパ部材としての機能を果す。下板８１の高さを調整することにより、操作表示パネル３２に対する子扉４９の開時の固定角度を規制することができる。
　【００４１】
　ここでは子扉４９を開いたときでも扉２３を開閉することができるように子扉４９の開時の固定角度を操作表示パネル３２に対して略垂直となるように設定している。なお、子扉４９を閉じるときは、子扉４９を操作表示パネル３２側に回動して子扉４９の係止突起７４を取付部４８の係止孔７０に係止させれば良い。
　【００４２】
　次に、図８は子扉４９を開いた状態で扉２３を開閉する状態を示す図である。
　【００４３】
　図８において、本体フレーム２２の後部には背板２１がねじ止め固定されており、背板２１には操作表示パネル３２が固定されている。操作表示パネル３２には取付部４８を介して子扉４９が開閉自在に取り付けられる。本体フレーム２２には扉固定用ステー６１が設けられ、扉固定用ステー６１と扉２３に孔６２，５５を形成し、孔６２，５５にリベット５４を通してリベット５４により本体フレーム２２に対して扉２３を開閉自在に装着している。Ａは扉２３が開閉される支点となるリベット５４から扉２３に形成したパネル表示窓５１の一端部までの距離を示し、Ｂは扉２３を開いたときのパネル表示窓５１の一端部の移動の跡を示す。
　【００４４】
　また、Ｃは扉２３を開いたときのパネル表示窓５１の他端部の移動の跡を示す。Ｄは子扉４９の軸部７６から子扉４９の端面に沿って伸ばした引出し線であり、この引出し線Ｄとパネル表示窓５１の一端部の移動の跡を示す線Ｂが交差する点Ｅと軸部７６との距離Ｌ１より短い距離Ｌ２となるように、子扉４９の寸法（高さ）を設定する。
　【００４５】
　これにより、子扉４９が開いたときでも扉２３を開閉することができる。また、子扉４９が開いたときの操作表示パネル３２に対する固定角度は、図６でも説明したように、操作表示パネル３２に対して略垂直となる角度に設定する。こうして、子扉４９を開いた状態でも扉２３を開閉することができる。
　【００４６】
　なお、本実施例においては、操作表示パネル３２に係止孔７０、子扉４９に係止突起７４を設けたが、この構成は逆でもよい。つまり操作表示パネル３２に係止突起、子扉に係止孔を設けた構成でもよい。回動手段としての軸孔、軸部も同様に逆の構成でもよい。
　【００４７】
　【発明の効果】
　以上のように、本発明は、盤前面
となる金属板の扉の面に対し窪み状に外周壁を有して開孔形成された操作表示窓に対応する部位に盤内側より前記操作表示窓に当接させて配置した平板状の操作表示パネルを有する
前方で
子扉左右側面位置に沿って子扉表面高さまで
　【００４８】
　また、従来例のように、取付部を溶接して固定する製造工数も減り、また、組立て、取り外しも容易になる。
　【００４９】
　更に、子扉は、閉じた時に盤前面と子扉前面が実質的に面一となるように装着したため、通常の監視状態で閉じている子扉は、盤前面と一体化して操作表示部位の操作や表示の妨げとならず、見栄えも良い。
　【００５０】
　また、子扉を弾性のあるモールド樹脂部材で成形したため、子扉に強い加重が加わっても子扉が歪んで容易に外れるため、従来例のように子扉に加重が加わると取付部が変形して破損してしまうことがない。
【図面の簡単な説明】
　【図１】
子扉の開時の防災監視制御盤の正面を示す図
　【図２】
子扉の閉時の防災監視制御盤の正面を示す図
　【図３】
本発明の防災監視制御盤の分解斜視図
　【図４】
操作パネルの斜視図
　【図５】
操作表示パネルと子扉を示す図
　【図６】
子扉を示す図
　【図７】
操作表示パネルに対する子扉の取付けを示す図
　【図８】
子扉の開時の扉の開閉状態を示す図
　【図９】
従来の例を示す図
　【図１０】
従来例の要部を示す図
　【符号の説明】
　２１：背板
　２２：本体フレーム
　２３：扉
　２４：防災監視制御盤
　３２：操作表示パネル
　４８：取付部
　４９：子扉
　７０：係止孔
　７１：軸孔
　７３：上板
　７４：係止突起
　７５：係止片
　７６：軸部
　７７：軸支持部
　８１：下板